(57)【特許請求の範囲】
【請求項１】
導線が巻回される巻枠部を構成する鍔部を備えるボビンと、
前記ボビンに取り付けられるコアと、
前記鍔部と一体的に設けられる支持柱部と、その支持柱部から前記鍔部と対向する状態で延伸することで第１隙間を形成する押さえ板部とを備えると共に、その第１隙間に前記コアの少なくとも一部を入り込ませることで、前記鍔部と前記押さえ板部との間で前記コアを押さえるコア押さえ部と、
を備え、
前記コア押さえ部は一対設けられ、
前記支持柱部には角度の異なる２つの平面状の壁面である保持壁と挿入ガイド壁とが設けられていて、
前記押さえ板部は、前記鍔部と対向する状態で前記保持壁から突出していて、
一対の前記コア押さえ部に対応して前記第１隙間が一対設けられ、当該一対の第１隙間を結ぶ方向である第１延伸方向は、一対の前記保持壁の間において前記鍔部に沿って延伸し、
前記第１隙間が前記鍔部に沿って延伸する前記第１延伸方向の両端は開放されていて、
一対の前記コア押さえ部の間には、前記コアの少なくとも一部を挿入可能であると共に前記第１隙間と連通する第２隙間を備え、
前記第２隙間は、一対の前記挿入ガイド壁の間において前記鍔部に沿って延伸し、
前記第２隙間が前記鍔部に沿って延伸する第２延伸方向の両端部は開放されていて、
前記第１隙間の前記第１延伸方向と前記第２隙間の前記第２延伸方向とがなす角度は、前記鍔部の周方向において異なっている、
ことを特徴とするコイル部品。
【請求項２】
請求項１記載のコイル部品であって、
一対の前記押さえ板部のうち、互いに対向する内側縁部は、前記挿入ガイド壁と面一に設けられている、
ことを特徴とするコイル部品。
【請求項３】
ボビンが備える鍔部によって区切られる巻枠部に導線を巻回することで、巻線部を形成する巻線部形成工程と、
前記鍔部と対向している押さえ板部を備えると共に前記鍔部と一体的に設けられている少なくとも一対のコア押さえ部の間に存在する第２隙間にコアを挿入させる挿入工程と、
前記挿入工程の後に、前記コアを回転させることで、前記鍔部と押さえ板部とが対向している第１隙間に前記コアを入り込ませることで、前記鍔部と前記押さえ板部の間で前記コアを押さえる回転工程と、
前記回転工程の後に、前記コアを前記ボビンに対して固定する固定工程と、
を備えることを特徴とするコイル部品の製造方法。
【発明の詳細な説明】
【技術分野】
【０００１】
本発明は、コイル部品およびコイル部品の製造方法に関する。
【背景技術】
【０００２】
たとえば、トランス等のコイル部品の中には、特許文献１に示すような構成が存在している。特許文献１には、一次巻線および二次巻線が巻回されるボビンが存在し、そのボビンにはコアが取り付けられている。コアは、ベースから離間する鉛直方向において、ボビンを周回する状態で取り付けられているので、ボビンの上部側（ベースから最も離間している側）において、コアがボビンを覆うように設けられている。
【先行技術文献】
【特許文献】
【０００３】
【特許文献１】特開２００１−１４３９４２号公報
【発明の概要】
【発明が解決しようとする課題】
【０００４】
近年、トランス等のようなコイル部品においては、一層の小型化が進展している。そして、小型化に伴ってコアの薄型化も進展しており、コアに割れ等が発生することで、コアに破損が生じやすくなっている。
【０００５】
ここで、特許文献１に開示の構成では、特にボビンの上部側に位置するコアに破損が生じると、その破損したコアが飛散することで二次被害が生じる虞がある。そのような二次被害を防ぐためには、たとえばケース等で覆う等する解決手法があるものの、その場合には部品点数が大きくなり、また小型化も難しくなる。
【０００６】
本発明は、かかる問題に鑑みてなされたものであり、その目的とするところは、部品点数の増加を抑えながらも、コアが破損した場合のコアの飛散を防止可能なコイル部品およびコイル部品の製造方法を提供しよう、とするものである。
【課題を解決するための手段】
【０００７】
上記課題を解決するために、本発明のコイル部品の一側面は、導線が巻回される巻枠部を構成する鍔部を備えるボビンと、ボビンに取り付けられるコアと、鍔部と一体的に設けられる支持柱部と、その支持柱部から鍔部と対向する状態で延伸することで第１隙間を形成する押さえ板部とを備えると共に、その第１隙間にコアの少なくとも一部を入り込ませることで、鍔部と押さえ板部との間でコアを押さえるコア押さえ部と、を備え、支持柱部には角度の異なる２つの平面状の壁面である保持壁と挿入ガイド壁とが設けられていて、押さえ板部は、鍔部と対向する状態で保持壁から突出していて、コア押さえ部は一対設けられると共に、第１隙間は、一対の保持壁の間において鍔部に沿って延伸し、第１隙間が鍔部に沿って延伸する延伸方向の両端は開放されていて、一対のコア押さえ部の間には、コアの少なくとも一部を挿入可能であると共に第１隙間と連通する第２隙間を備え、第２隙間は、一対の挿入ガイド壁の間において鍔部に沿って延伸し、第２隙間が鍔部に沿って延伸する延伸方向の両端部は開放されていて、第１隙間の延伸方向と第２隙間の延伸方向とがなす角度は、鍔部の周方向において異なっている、ことを特徴とするコイル部品ガ提供される。
【００１０】
また、本発明のコイル部品の他の側面は、上述の発明に加えて更に、一対の押さえ板部のうち、互いに対向する内側縁部は、挿入ガイド壁と面一に設けられている、ことが好ましい。
【００１１】
また、本発明の第２の観点によると、ボビンが備える鍔部によって区切られる巻枠部に導線を巻回することで、巻線部を形成する巻線部形成工程と、鍔部と対向している押さえ板部を備えると共に鍔部と一体的に設けられている少なくとも一対のコア押さえ部の間に存在する第２隙間にコアを挿入させる挿入工程と、挿入工程の後に、コアを回転させることで、鍔部と押さえ板部とが対向している第１隙間にコアを入り込ませることで、鍔部と押さえ板部の間でコアを押さえる回転工程と、回転工程の後に、コアをボビンに対して固定する固定工程と、を備えることを特徴とするコイル部品の製造方法が提供される。
【発明の効果】
【００１２】
本発明によると、部品点数の増加を抑えながらも、コアが破損した場合のコアの飛散を防止可能となる。
【図面の簡単な説明】
【００１３】
【図１】本発明の一実施の形態に係るトランスの構成を示す斜視図であり、一次巻線および二次巻線を省略した状態を示す図である。
【図２】図１のＩ−Ｉ線に沿ってトランスを切断した状態を示す断面図である。
【図３】図１に示すトランスの構成を示す平面図である。
【図４】図１に示すトランスにおけるコア体を構成するコアの構成を示す斜視図である。
【図５】図１に示すトランスにおけるベース体の構成を示す斜視図である。
【図６】本発明の変形例に係るトランスの構成を示す斜視図であり、一次巻線および二次巻線を省略した状態を示す図である。
【図７】本発明の別の変形例に係るトランスの構成を示す斜視図であり、一次巻線および二次巻線を省略した状態を示す図である。
【発明を実施するための形態】
【００１４】
以下、本発明の一実施の形態に係る、コイル部品としてのトランス１０Ａについて、図面を参照しながら説明する。なお、以下の説明においては、ＸＹＺ直交座標系を用いて説明することがある。そのうち、Ｘ方向は後述する端子台部４１およびコア２１の長手方向とし、Ｘ１側は図１における右側かつ上側とし、Ｘ２側はそれとは逆の左側かつ下側とする。また、Ｚ方向はトランス１０Ａが実装される基板に対して垂直な方向とし、Ｚ１側は図１における上側とし、Ｚ２側は図１における下側とする。また、Ｙ方向はＸＺ方向に直交する方向（幅方向）とし、Ｙ１側は図１における右側かつ下側とし、Ｙ２側はそれとは逆の左側かつ上側とする。
【００１５】
＜トランス１０Ａの全体構成について＞
図１は、トランス１０Ａの構成を示す斜視図であり、一次巻線７０および二次巻線８０を省略した状態を示している。図２は、図１のＩ−Ｉ線に沿ってトランス１０Ａを切断した状態を示す断面図である。また、図３は、トランス１０Ａの構成を示す平面図である。図１から図３に示すトランス１０Ａは、コア体２０と、ベース体３０と、端子部材６０と、一次巻線７０と、二次巻線８０とを主要な構成要素としている。
【００１６】
図１および図２に示すように、コア体２０は、一対のコア２１を突き合わせることで構成されている。かかるコア２１の構成を図４に示す。図４は、コア体２０を構成するコア２１の構成を示す斜視図である。図４に示すように、本実施の形態では、コア２１は、その外観が略Ｅ型となるＥ型コアとなっている。このコア２１は、板状の連結基部２１１の両端の各々に外脚２１２を立設すると共に、それらの両外脚２１２の間に中脚２１３を立設している。一対のコア２１の間では、その外脚２１２と中脚２１３とが突き合わされている。かかる突き合わせによってコア体２０が構成され、そのコア体２０によって、一次巻線７０および二次巻線８０における相互誘導に際しての磁路を構成する。
【００１７】
なお、一対のコア２１の中脚２１３は、後述するベース体３０の中空部５１１（図２参照）に差し込まれ、その中空部５１１の内部において突き合わされている。また、本実施の形態では、一対のコア２１は、両方が同じ形状となっている。しかしながら、一対のコア２１が互いに異なる形状であっても良い。また、以下の説明においては、一対のコア２１同士を区別する必要がある場合には、上方側（Ｚ１側）に位置するコア２１をコア２１ａと称呼し、下方側（Ｚ２側）に位置するコア２１をコア２１ｂと称呼する。しかしながら、両者を区別する必要がない場合には、単にコア２１と称呼する。
【００１８】
一対のコア２１は、その材質を磁性材としているが、磁性材としては、たとえば、ニッケル系のフェライトまたはマンガン系のフェライト等の種々のフェライト、パーマロイ、センダスト等、各種の磁性材料および各種の磁性材料の混合物を用いることが可能である。
【００１９】
図５は、ベース体３０の構成を示す斜視図である。ベース体３０は、たとえば樹脂のような電気的な絶縁性を備える材質から形成されている。このベース体３０には、ベース部４０と、ボビン部５０とが設けられている。ベース部４０は、ボビン部５０を下方側（Ｚ２側）で支持する部分である。このベース部４０には、一対の端子台部４１と、連結部４３とが設けられている。
【００２０】
端子台部４１は、連結部４３を挟んで、トランス１０Ａの幅方向（Ｙ方向）の一方側（Ｙ１側）および他方側（Ｙ２側）にそれぞれ設けられている。この端子台部４１は、端子部材６０が取り付けられている部分である。具体的には、たとえばベース体３０を形成する際に、端子部材６０を金型内部に設置し、その後に射出成形することによって、端子台部４１に端子部材６０の上方側（Ｚ１側）が埋め込まれた状態で取り付けられている。
【００２１】
この端子台部４１には、端末ガイド部４２が設けられている。端末ガイド部４２は、一次巻線７０または二次巻線８０の端末を、端子部材６０に向けてガイドするための部分である。かかる端末が端子部材６０に向かう際のガイド性を良好にするため、端末ガイド部４２は、上下方向に対して傾斜した傾斜壁部４２１と、その傾斜壁部４２１の下方側で上下方向に沿うように連なる仕切壁４２２とを有している。
【００２２】
また、端末ガイド部４２には、隣接する端子部材６０に向かう端末同士を仕切るための仕切壁４２２も設けられている。図２に示すように、仕切壁４２２の存在する位置は、いずれかの端子部材６０の近傍となっている。しかも、図２に示すように、端子台部４１の長手方向（Ｘ方向）の位置においては、仕切壁４２２の壁面は、端子部材６０の外面に対して、端末の概ね直径の距離だけ離れるように配置されている。このため、仕切壁４２２によって端末がガイドされた端末が端子部材６０に向かうと、その端末は、概ね幅方向（Ｙ方向）に沿う状態となり、端末の位置決め性を向上させることができる。
【００２３】
なお、仕切壁４２２のうち、端子台部４１の長手方向（Ｘ方向）の中央部分に位置する仕切壁４２２ａは、端子部材６０には近接していない。しかしながら、仕切壁４２２ａを利用して（引っ掛けて）、巻枠部から端子部材６０に端末をガイドすることにより、一次巻線７０側の端末と二次巻線８０側の端末とが近接してしまうのを防止可能となる。
【００２４】
また、一対の端子台部４１を連結するように、連結部４３が設けられている。連結部４３は、板状部の部分であり、その上面側（Ｚ１側）にはボビン部５０が一体的に設けられている。
【００２５】
また、ベース部４０のうち連結部４３の下面側（Ｚ２側）には、コア取付凹部４４も設けられている。図５に示すように、コア取付凹部４４は、下方側（Ｚ２側）のコア２１ｂを位置させるための部分であり、一対の端子台部４１の間に位置している。なお、コア取付凹部４４の凹み深さを、端子台部４１の下端面から連結部４３の下面までとすると、その凹み深さは、コア２１ｂの連結基部２１１の厚み以上となっている。
【００２６】
次に、ボビンに対応するボビン部５０について説明する。図２および図５に示すように、ボビン部５０には、筒状部５１と、下鍔部５２と、上鍔部５３と、コア押さえ部５６とが設けられている。筒状部５１は、中空の円筒状に設けられている部分である。この筒状部５１の中空部５１１（図２参照）は、ボビン部５０の全体を上下方向に貫くと共に、上述した連結部４３も貫いている。
【００２７】
また、筒状部５１の上下方向の中途部分には、下鍔部５２が連なっていて、さらに筒状部５１の上端側（Ｚ１側）には、上鍔部５３が連なっている。下鍔部５２および上鍔部５３は、共に、筒状部５１よりも外周側に突出するように設けられている部分である。そして、筒状部５１、下鍔部５２および上鍔部５３で囲まれることにより、一次巻線７０および二次巻線８０を位置決めするための巻枠部５４が構成される。なお、上鍔部５３は、鍔部に対応する。
【００２８】
ここで、下鍔部５２には、ガイド切欠部５２１が設けられている。ガイド切欠部５２１は、下鍔部５２を周方向における所定角度に亘って切り欠いた部分であり、それによって巻枠部５４に巻回された一次巻線７０および二次巻線８０の端末を、端子部材６０に向けて良好に導出するようにしている。
【００２９】
なお、下鍔部５２の下方側には、隙間部５５が設けられている。この隙間部５５には、一次巻線７０または二次巻線８０の端末を巻き付けることが可能であり、それによって端末の導出方向を適宜変更することが可能となる。なお、隙間部５５に対して、一次巻線７０と二次巻線８０の少なくとも一方を巻回させることにより、隙間部５５を巻枠部として利用するようにしても良い。
【００３０】
図１から図３および図５に示すように、上鍔部５３の上面側からは、一対のコア押さえ部５６が上方側（Ｚ１側）に突出するように設けられている。コア押さえ部５６は、上鍔部５３との間で、上方側（Ｚ１側）に位置するコア２１ａの連結基部２１１を挟み込む部分である。かかるコア押さえ部５６の存在により、コア２１ａの連結基部２１１にクラック等が生じて連結基部２１１が破損した場合でも、破損したコア断片が飛散するのを防止可能となっている。
【００３１】
また、図１から図３および図５に示すように、一対のコア押さえ部５６の間には、所定の隙間（第２隙間Ｓ２とする）が存在している。この第２隙間Ｓ２は、コア２１ａを挿入可能な程度の幅に設けられている。すなわち、ＸＹ平面において、第２隙間Ｓ２の寸法をＬ１、コア２１ａの幅をＬ２とすると（図３参照）、Ｌ１≧Ｌ２が成り立つように設けられている。ただし、コア押さえ部５６を弾性的に変形させて、押さえ板部５６２と上鍔部５３の間にコア２１ａを入り込ませる場合には、寸法Ｌ２が、寸法Ｌ１よりも小さくても良い。
【００３２】
図１、図３および図５に示すように、コア押さえ部５６は、円弧状の外周壁面を有している。このコア押さえ部５６は、支持柱部５６１と、押さえ板部５６２とを備えているが、上鍔部５３に対しては、支持柱部５６１のみが接続されている。すなわち、押さえ板部５６２は、上鍔部５３には直接連なっておらず、支持柱部５６１によって支持されている。換言すれば、押さえ板部５６２の厚みは、支持柱部５６１の高さ方向の寸法よりも小さい板状となっている。したがって、押さえ板部５６２と上鍔部５３の間の隙間（第１隙間Ｓ１とする）には、コア２１ａが入り込むことが可能となっている。
【００３３】
なお、図２に示すように、第１隙間Ｓ１の高さ方向（Ｚ方向）の寸法をＬ３、連結基部２１１の厚み（Ｚ方向の寸法）をＬ４とすると、Ｌ３≧Ｌ４が成り立つように設けられている。しかしながら、コア押さえ部５６を弾性的に変形させて、押さえ板部５６２と上鍔部５３の間にコア２１ａを入り込ませる場合には、コア２１ａを挿入する前の段階で寸法Ｌ３がＬ４よりも小さくても良い。
【００３４】
また、支持柱部５６１と押さえ板部５６２の上面は、同一平面となるように設けられている。したがって、図３に示すように、コア押さえ部５６を上方から見た場合、円を直線でカットしたような形状（ただし、図３に示す構成では、コア押さえ部５６の円弧は半円の円弧より小さい）に設けられている。
【００３５】
ここで、図５に示すように、それぞれの支持柱部５６１には、角度の異なる２つの平面状の壁面がそれぞれ存在している。かかる壁面のうち、ＸＹ平面において端子台部４１の長手方向（Ｘ方向）に沿うものを保持壁５６３とし、端子台部４１の長手方向（Ｘ方向）に対して所定の角度をなすものを挿入ガイド壁５６４とする。本実施の形態では、図３および図５等から明らかなように、保持壁５６３と挿入ガイド壁５６４とが交差する頂点付近の角度は、鈍角となっている。かかる鈍角としては、９０度よりも大きく１６０度以下とするものがある。しかしながら、上述した頂点付近の角度は、９０度であっても良く、また１８０度よりも小さく１６０度以上であっても良い。
【００３６】
図１および図３から明らかなように、保持壁５６３は、取付状態におけるコア２１ａの連結基部２１１に対して近接対向するか、または接触する壁面である。そのため、保持壁５６３は、コア２１ａがＸＹ平面内で回転してしまうのを抑える（回転方向の位置決めする）機能を有している。また、図２に示すように、保持壁５６３と、上鍔部５３と、押さえ板部５６２とによって、コア２１ａが入り込む第１隙間Ｓ１が形成されている。
【００３７】
なお、図３に示すように、端子台部４１の長手方向（Ｘ方向）において、一対の保持壁５６３は、同一の位置には存在しておらず、異なる位置に存在している。この場合、一対の保持壁５６３は、端子台部４１の長手方向（Ｘ方向）において、完全に異なる位置に存在しても良く、一部が異なる位置に存在していても良い。また、一対の保持壁５６３の間隔は、上述した寸法Ｌ１と同等の寸法となっているが、若干異なる寸法であっても良い。
【００３８】
また、一対の挿入ガイド壁５６４は、上述したように、端子台部４１の長手方向（Ｘ方向）に対して所定の角度を成して傾斜している壁面である。また、押さえ板部５６２の内側縁部５６２ａも、挿入ガイド壁５６４と同一平面となるように設けられている。そして、一方側の挿入ガイド壁５６４と内側縁部５６２ａと、他方側の挿入ガイド壁５６４と内側縁部５６２ａの間に、上述した第２隙間Ｓ２が存在している。そして、コア２１ａをボビン部５０に取り付ける場合、このコア２１ａは、先ず第２隙間Ｓ２に挿入することが可能となっている。なお、挿入ガイド壁５６４が端子台部４１の長手方向（Ｘ方向）に対してなす角度は、上述の鈍角に対応したものであり、たとえば、９０度よりも小さく２０度以上とする（その中でも、たとえば９０度よりも小さく３０度以上とする）ものがある。しかしながら、かかる所定の角度は、何度であっても良い。
【００３９】
なお、挿入ガイド壁５６４が端子台部４１の長手方向（Ｘ方向）に対してなす角度が大きくなるとコア押さえ部５６の強度が弱くなり、また上述の角度が小さくなるとコア２１ａを押さえる面積が小さくなるので、押さえる効果が低減される。ここで、押さえ板部５６２のうちコア２１ａを押さえる部分の斜辺に対する幅方向（Ｙ方向）における寸法は、上述の角度が３０度の場合に１／２となる。したがって、上述の角度の下限としては、３０度とするものがあり、９０度を超えない範囲で適宜の角度（たとえば３５度、４０度、４５度（図３における場合）、５０度、５５度、６０度等）に設定することができる。
【００４０】
なお、図２に示すように、巻枠部５４には、一次巻線７０および二次巻線８０が配置されている。なお、一次巻線７０と二次巻線８０の内の少なくとも一方は、巻線部に対応する。一次巻線７０は、図示を省略する導線を巻回することにより形成されている。導線は、導体部分が絶縁層で覆われた構成となっていて、その導線の端末は、端子部材６０に絡げられている。
【００４１】
また、二次巻線８０も、図示を省略する導線を巻回することにより形成されている。なお、図２においては、巻枠部５４に先ず一次巻線７０を巻回し、その後に二次巻線８０を巻回した状態が示されている。しかしながら、先に一次巻線７０を巻枠部５４に巻回し、その後に二次巻線８０を巻回する構成としても良い。また、一次巻線７０を最初に巻回した後に二次巻線８０を巻回し、その後に再び一次巻線７０を巻回しても良く、二次巻線８０を最初に巻回した後に一次巻線７０を巻回し、その後に再び二次巻線８０を巻回しても良い。
【００４２】
＜製造方法について＞
以上のような構成のトランス１０Ａを製造する場合、導線を巻枠部５４に巻回することにより、一次巻線７０および二次巻線８０を巻枠部５４に形成する（巻線部形成工程に対応）。このとき、導線の端末は、それぞれ端子部材６０に絡げられると共に、たとえば半田付けやレーザ溶接等の手法により、導線と端子部材６０との間で電気的に導通する状態として固定する。
【００４３】
その後に、下方側（Ｚ２側）のコア２１ｂと、上方側（Ｚ１側）のコア２１ａとを、ベース体３０に取り付ける。この取り付けでは、コア２１ｂと、コア２１ａの各部位（たとえば、ボビン部５０とそれぞれのコア２１ａ，２１ｂが接触する部位やコア２１ａ，２１ｂ同士が突き合わされる部位等）に接着剤を塗布する。
【００４４】
ここで、上方側（Ｚ１側）のコア２１ａを取り付ける場合、先ず、第２隙間Ｓ２にコア２１ａを入り込ませる（挿入工程に対応）。このとき、コア２１ａは、端子台部４１の長手方向（Ｘ方向）に対して所定の角度だけ傾斜した（第２延伸方向に沿って延伸した）状態となる。なお、所定の角度とは、上述したように、たとえば挿入ガイド壁５６４が長手方向（Ｘ方向）に対してなす角度がある。
【００４５】
そして、第２隙間Ｓ２に入り込んでいるコア２１ａの一部が、第１隙間Ｓ１に入り込むように回転させる（回転工程に対応）。すると、コア２１ａは、端子台部４１の長手方向（Ｘ方向）に沿う状態となり、また下方側（Ｚ２側）に配置されているコア２１ｂに対して、位置ずれすることなく突き合わされる状態となる。
【００４６】
この後に、塗布された接着剤を乾燥させる等により、コア２１ａ，２１ｂをボビン部５０に対して固定する（固定工程に対応）。また、その他の必要な加工を行う。それにより、トランス１０Ａが形成される。また、上述の固定工程では、コア押さえ部５６によってコア２１ａが押さえられた状態となっている。このため、コア２１ａを上面側から押さえるための治具が不要となっている。
【００４７】
＜作用効果について＞
以上のような構成のトランス１０Ａは、導線が巻回される巻枠部５４を構成する上鍔部５３を備えるボビン部５０を備えている。また、トランス１０Ａは、コア押さえ部５６を備えていて、そのコア押さえ部５６は、ボビン部５０に取り付けられるコア２１ａと、上鍔部５３と対向することで第１隙間Ｓ１を形成する押さえ板部５６２を備え、その第１隙間Ｓ１にコア２１ａの少なくとも一部を入り込ませることで、上鍔部５３と押さえ板部５６２との間で、コア２１ａを押さえることを可能としている。
【００４８】
このため、トランス１０Ａにおいて、部品点数の増加を抑えながらも、コア２１ａが破損した場合に、割れたコア２１ａやその破損部分が飛散するのを防止可能となる。それにより、割れたコア２１ａや破損部分が飛散することで二次被害が生じるのを防止可能となる。特に、トランス１０Ａの小型化が進展する場合、コア２１ａが割れ易くなるが、そのようなトランス１０Ａであっても、二次被害を良好に防止可能となる。
【００４９】
また、コア押さえ部５６は、ボビン部５０と一体的に設けられている。そのため、トランス１０Ａの部品点数が増加するのを防止可能となる。すなわち、コア２１ａが破損した場合に、割れたコア２１ａやその破損部分が飛散するのを防止するために、ケース等にコア２１を収納する構成とすることが考えられる。しかしながら、本実施の形態では、ケース等のような別途の部品を要さずに、割れたコア２１ａやその破損部分が飛散するのを防止可能となる。
【００５０】
また、本実施の形態では、コア押さえ部５６は一対設けられると共に、一対のコア押さえ部５６の間には、第１隙間Ｓ１と連通する第２隙間Ｓ２が設けられていて、その第２隙間Ｓ２には、コア２１ａの少なくとも一部が挿入可能である。また、第１隙間Ｓ１に挿入されたコア２１ａの長手方向と、第２隙間Ｓ２に挿入されたコア２１ａの長手方向とでは、回転方向における角度が異なっている。そして、一対のコア押さえ部５６は、コア２１ａの長手方向（Ｘ方向；一対の第１隙間Ｓ１を結ぶ第１延伸方向に対応）において異なる位置で、コア２１ａを押さえている。
【００５１】
このため、先に第２隙間Ｓ２にコア２１ａを入り込ませ、その後に、第１隙間Ｓ１にコア２１ａが入り込むように当該コア２１を回転させることにより、工数をさほど要さずに、一対のコア押さえ部５６にて、コア２１ａを押さえる構成とすることができる。
【００５２】
さらに、本実施の形態では、コア押さえ部５６は、支持柱部５６１を有していて、その支持柱部５６１は、上鍔部５３の表面から離間する方向（鉛直方向；Ｚ方向）に向かって突出すると共に押さえ板部５６２を支持している。この支持柱部５６１には、保持壁５６３と挿入ガイド壁５６４とが設けられている。これらのうち、保持壁５６３は、第１隙間Ｓ１に挿入されたコア２１ａの回転方向の位置を規制すると共に、挿入ガイド壁５６４は、コア２１ａの第２隙間Ｓ２への挿入範囲を規定している。
【００５３】
このように、保持壁５６３と挿入ガイド壁５６４とが存在することにより、上方側（Ｚ１側）のコア２１ａをボビン部５０に取り付ける際の、ガイド性および位置決め性を向上させることができる。そのため、トランス１０Ａの生産性を向上させることができる。
【００５４】
また、本実施の形態では、一対の押さえ板部５６２のうち、互いに対向する内側縁部５６２ａは、挿入ガイド壁５６４と面一に設けられている。したがって、コア２１ａを第２隙間Ｓ２に一層挿入し易くなり、トランス１０Ａの生産性を一層向上させることが可能となる。
【００５５】
また、本実施の形態では、巻線部形成工程で巻線部（一次巻線７０、二次巻線８０）を形成した後に、挿入工程において第２隙間Ｓ２にコア２１ａを挿入している。さらに、回転工程においてコア２１ａを回転させて、上鍔部５３とコア押さえ部５６とが対向している第１隙間Ｓ１に、コア２１ａを入り込ませている。この回転工程の後に、固定工程においてコア２１ａをボビン部５０に対して固定している。
【００５６】
このため、トランス１０Ａを製造する場合に、コア２１ａを押さえるための別途の部材（テープ、ケース、カバー等）が不要となり、トランス１０Ａの生産に要するコストを低減することができると共に生産性を向上させることができる。また、固定工程では、コア押さえ部５６によってコア２１ａが押さえられた状態となるので、コア２１ａを上面側から押さえるための治具を不要とすることができ、トランス１０Ａの生産性を一層向上させることができる。
【００５７】
＜変形例＞
以上、本発明の各実施の形態について説明したが、本発明はこれ以外にも種々変形可能となっている。以下、それについて述べる。
【００５８】
上述の実施の形態では、端子部材６０は、ピンタイプのピン端子となっていて、実装されるプリント基板の孔部分に差し込まれる構成となっている。しかしながら、端子部材は、ピン端子以外のものであっても良い。このような構成のトランスを、図６に示す。図６に示すトランス１０Ｂでは、図１や図５に示す端子部材６０に代えて、端子部材６０Ｂを備える構成が開示されている。端子部材６０Ｂは、実装されるプリント基板の実装部位に対して平行または略平行となる状態で接触する実装部６０Ｂ１を備えている。実装部６０Ｂ１は、たとえば半田付けやレーザ溶接等の手法により、実装部位に対して電気的に接続される。
【００５９】
また、端子部材６０Ｂは、端子部材６０Ｂよりも上方側（Ｚ１側）に位置する絡げ端子部６０Ｂ２も備えている。実装部６０Ｂ１と絡げ端子部６０Ｂ２とは、一つの端子部材６０Ｂに存在するものであり、端子台部４１の内部から突出している部分である。かかる絡げ端子部６０Ｂ２は、一次巻線７０の導線の端末や二次巻線８０の導線の端末が絡げられる部分である。なお、絡げられた端末は、たとえば半田付けやレーザ溶接等の手法により、端子部材６０Ｂとの間で電気的に導通する状態として固定する。
【００６０】
また、上述の実施の形態では、トランス１０Ａにおいては、保持壁５６３と内側縁部５６２ａの延伸方向が、端子台部４１の長手方向（Ｘ方向）に対して傾斜するように設けられている。しかしながら、このような構成に代えて、たとえば図７に示すような構成としても良い。図７に示すトランス１０Ｃは、図１に示すコア押さえ部５６と異なるコア押さえ部５６Ｃを備えている。また、トランス１０Ｃは、図６に示す端子部材６０Ｂと同様の端子部材６０Ｃも備えていて、この端子部材６０Ｃは、実装部６０Ｂ１と同様の実装部６０Ｃ１を備え、さらに絡げ端子部６０Ｂ２と同様の絡げ端子部６０Ｃ２も備えている。
【００６１】
このコア押さえ部５６Ｃにおいては、保持壁５６３Ｃ（図７において保持壁５６３Ｃの図示は省略）の延伸方向は、端子台部４１の長手方向（Ｘ方向）に沿うように設けられている。また、図７に示す構成では、第２隙間Ｓ２に上方側（Ｚ１側）のコア２１ａを入り込ませた後に、コア２１ａを９０度程度回転させることにより、第１隙間Ｓ１にコア２１ａを入り込ませることが可能となっている。
【００６２】
なお、図１に示すトランス１０Ａと図７に示すトランス１０Ｃとを比較すると、図７に示すトランス１０Ｃでは、支持柱部５６１の周方向の寸法が短くなるものの、コア２１ａの幅方向（Ｙ方向）の全体に亘って、押さえ板部５６２が比較的大面積で覆う状態となり、コア２１ａの保持の安定化を図ることができる。一方、図１に示すトランス１０Ａでは、支持柱部５６１の周方向における長さを長くすることができる。したがって、コア２１ａを上方に移動させるような外部応力が加わった場合に、支持柱部５６１が破損し難い構成とすることができる。
【００６３】
また、図７に示す構成では、押さえ板部５６２のうち支持柱部５６１とは反対側が、コア２１ａの外方に突出する構成を容易に実現可能となっている。そのため、押さえ板部５６２のうちコア２１ａから飛び出している部分に、下方側（Ｚ２側）に向かって突出するような突起を設ける構成とすることもできる。この場合、第１隙間Ｓ１にコア２１ａが嵌め込む場合には、スナップフィット機構に類する構成を実現できる。また、コア２１ａが第１隙間Ｓ１に嵌め込まれると、その嵌め込み状態から抜け難い構成となり、コア２１ａを一層安定的に保持することができる。なお、このようなスナップフィット機構に類する構成を、図１のトランス１０Ａや図６のトランス１０Ｂ、またはその他のコイル部品に適用しても良いのは勿論である。
【００６４】
また、上述した実施の形態においては、第２隙間Ｓ２に上方側（Ｚ１側）のコア２１ａを入り込ませた後に、コア２１ａを回転させることによって、コア２１ａを第１隙間Ｓ１に入り込ませている。しかしながら、上方側（Ｚ１側）のコア２１ａをスライドさせることで、第１隙間Ｓ１に入り込ませるようにしても良い。この場合、たとえば図１に示す構成では、支持柱部５６１は、保持壁５６３と内側縁部５６２ａの延伸方向のうち、いずれか一方側に位置する状態とすることができる。
【００６５】
また、上述の各実施の形態では、ベース体３０は、ベース部４０とボビン部５０とが一体的に構成されている。しかしながら、ベース部４０とボビン部５０とは、別体的な構成となっていても良い。
【００６６】
また、上述の各実施の形態では、ボビン部５０に取り付けられるコアは、Ｅ型コアとしている。しかしながら、コアは、Ｅ型コアに限られるものではない。たとえば外観が略Ｕ字形状のコアを組み合わせてコア体を構成したり、外観が略Ｉ字形状のコアを組み合わせてコア体を構成するようにしても良い。
【００６７】
また、上述の実施の形態では、コイル品として、トランス１０Ａについて説明している。しかしながら、コイル部品は、トランス１０Ａに限られるものではなく、たとえば、インダクタ等のような他のコイル部品に本発明を適用しても良い。
【００６８】
また、上述の実施の形態では、コアは一対用いられているが、１つのみのコアを用いる場合に本発明を適用しても良く、３つ以上のコアを組み合わせて用いる場合に本発明を適用しても良い。
【符号の説明】
【００６９】
１０Ａ〜１０Ｃ…トランス（コイル部品に対応）、２０…コア体、２１，２１ａ，２１ｂ…コア、３０…ベース体、４０…ベース部、４１…端子台部、４２…端末ガイド部、４３…連結部、４４…コア取付凹部、５０…ボビン部（ボビンに対応）、５１…筒状部、５２…下鍔部、５３…上鍔部（鍔部に対応）、５４…巻枠部、５５…隙間部、５６，５６Ｃ…コア押さえ部、６０，６０Ｂ，６０Ｃ…端子部材、６０Ｂ１，６０Ｃ１…実装部、６０Ｂ２，６０Ｃ２…絡げ端子部、７０…一次巻線（巻線部に対応）、８０…二次巻線（巻線部に対応）、２１１…連結基部、２１２…外脚、２１２…両外脚、２１３…中脚、４２１…傾斜壁部、４２２，４２２ａ…仕切壁、５１１…中空部、５２１…ガイド切欠部、５６１…支持柱部、５６２…押さえ板部、５６２ａ，５６２Ｃａ…内側縁部、５６３，５６３Ｃ…保持壁、５６４…挿入ガイド壁、Ｓ１…第１隙間、Ｓ２…第２隙間 
【図１】
0006645258.tif 000002
【図２】
0006645258.tif 000003
【図３】
0006645258.tif 000004
【図４】
0006645258.tif 000005
【図５】
0006645258.tif 000006
【図６】
0006645258.tif 000007
【図７】
0006645258.tif 000008